(57)【要約】【課題】  水の入ったプールの底面上にガラス片や金属片、土砂などの異物がある場合に、見落とすことなく確実に発見することができる水中使用の水中検出装置を提供する。【解決手段】  水の入ったプールの底面３上を線状に照射するレーザースリット光の発光手段５をプール水中に設け、該発光手段５によりプール底面上に照射されたスリット光２５の光線の乱れを検知してプール水中の底面３上に存在する異物９を検出することを特徴とする。【選択図】  図１
2015105855.tif 000002
【特許請求の範囲】
【請求項１】
水の入ったプールの底面上を線状に照射するレーザースリット光の発光手段をプール水中に設け、該発光手段によりプール底面上に照射されたスリット光の光線の乱れを検知してプール水中の底面上に存在する異物を検出することを特徴とする水中検出装置。
【請求項２】
請求項１記載の発光手段に加えて、さらに上記発光手段により照射されたスリット光を走査してその走査領域を撮影するＣＣＤカメラを有する受光手段と、前記発光手段及び前記ＣＣＤカメラによるプール底面の照射領域を順次移動させる移動手段をプール水中に設け、さらに前記発光手段と前記受光手段及び前記移動手段を操作し制御する機器制御部と、前記ＣＣＤカメラで撮影されたプールの底面上に存在する異物の影像処理制御部と、該異物の位置座標を特定する位置検出部を備えたことを特徴とする請求項１記載の水中検出装置。
【発明の詳細な説明】
【技術分野】
【０００１】
この発明は、水の入ったプールの底面上にガラス片や金属片、土砂などの異物がある場合に、見落とすことなく確実に発見することができる水中使用の水中検出装置に関するものである。
【背景技術】
【０００２】
水泳用プールの水中底面上に異物がある場合、その発見は人による目視によって行っているため、見落しすることがあった。
【０００３】
特許文献１の特開平０５−１８７８３４号公報「形状測定装置」の発明は、レーザースリット光の光色が変化した場合でも良好な測定を可能とするように、被測定物からの反射光をそれぞれ異なる光波透過領域を有する複数のフィルターを直列に配置し、所定波長領域のみの反射光を前記受光手段に入射し得るように形成したものである。
【０００４】
特許文献２の実開平０６−８６８６６号公報「倣い機能付溶接ロボット」の考案には、アークセンサーを用いることなく、レーザースリット光装置とＣＣＤカメラからなる撮像手段と制御手段などを用いて、倣い機能を有する溶接ロボットの構成が開示されている。
【先行技術文献】
【特許文献】
【０００５】
【特許文献１】特開平０５−１８７８３４号公報
【特許文献２】実開平０６−８６８６６号公報
【発明の概要】
【発明が解決しようとする課題】
【０００６】
水泳用プールの水中底面上に、金属片やガラス片など固形の異物がある場合、その発見は人の目視によるため、暗くて見難い場合や異物に透光性があって視認し難い場合には見落しすることがあった。この固形の異物は、発見が遅れたり見逃されたりした場合には、プール供用中の利用者の手足に怪我などの危害を及ぼすことがあった。
【０００７】
特許文献１の「形状測定装置」の発明は、溶接箇所の形状を測定する装置であるが、水中底部にある異物の検出を行うものではない。
【０００８】
特許文献２の「倣い機能付溶接ロボット」の考案は、溶接アークの状態を判定して溶接トーチを倣い移動させるものであるが、水中底部にある異物を検出するものではない。
【０００９】
この発明は、上述のような従来技術が有する問題点に鑑みてなされたもので、目的とするところは、水の入ったプールの底面上にガラス片や金属片、土砂などの異物がある場合に、見落とすことなく確実に発見することができる水中使用の水中検出装置を提供することにある。
【課題を解決するための手段】
【００１０】
請求項１の発明に係る水中検出装置は、水の入ったプールの底面上を線状に照射するレーザースリット光の発光手段をプール水中に設け、該発光手段によりプール底面上に照射されたスリット光の光線の乱れを検知してプール水中の底面上に存在する異物を検出することを特徴とする。
【００１１】
請求項２の発明に係る水中検出装置は、請求項１記載の発光手段に加えて、さらに上記発光手段により照射されたスリット光を走査してその走査領域を撮影するＣＣＤカメラを有する受光手段と、前記発光手段及び前記ＣＣＤカメラによるプール底面の照射領域を順次移動させる移動手段をプール水中に設け、さらに前記発光手段と前記受光手段及び前記移動手段を操作し制御する機器制御部と、前記ＣＣＤカメラで撮影されたプールの底面上に存在する異物の影像処理制御部と、該異物の位置座標を特定する位置検出部を備えたことを特徴とする。
【発明の効果】
【００１２】
請求項１の発明に係る水中検出装置は、水の入ったプールの底面上を線状に照射するレーザースリット光の発光手段をプール水中に設け、該発光手段によりプール底面上に照射されたスリット光の光線の乱れを検知してプール水中の底面上に存在する異物を検出するので、水の入ったプールの底面上に存在する肉眼では見難いガラス片や金属片などの異物の存在に対して、レーザースリット光の屈折による乱れを見逃すことなく検知することができるため、肉眼で見難い異物の発見除去を確実に実施し、プール供用中の利用者の手足などに違和感や危険を及ぼすことなく、清潔と安全性を保持することができる。
【００１３】
請求項２の発明に係る水中検出装置は、請求項１記載の発光手段に加えて、さらに上記発光手段により照射されたスリット光を走査してその走査領域を撮影するＣＣＤカメラを有する受光手段と、前記発光手段及び前記ＣＣＤカメラによるプール底面の照射領域を順次移動させる移動手段をプール水中に設け、さらに前記発光手段と前記受光手段及び前記移動手段を操作し制御する機器制御部と、前記ＣＣＤカメラで撮影されたプールの底面上に存在する異物の影像処理制御部と、該異物の位置座標を特定する位置検出部を備えたので、水の入ったプールの底面上に存在する肉眼では見難いガラス片や金属片などの異物を、確実に検出しかつ位置を特定して記録することができる。
【図面の簡単な説明】
【００１４】
【図１】本発明に係る水中検出装置の実施形態例で、レーザースリット光を照射する状況を示す説明図である。
【図２】図１のＡ部を拡大して示す説明図である。
【図３】本発明に係る水中検出装置の実施形態例を示す説明図である。
【図４】異物検出の機能を示すブロック図である。
【図５】異物検出の操作を示すフローチャートである。
【図６】異物位置の特定座標である。
【図７】異物検出後の対応作業を示すフローチャートである。
【発明を実施するための形態】
【００１５】
本発明に係る水中検出装置の実施形態例について図１から図７に基づいて説明する。本発明は下記の実施形態にのみ限定されるものではない。本発明の要旨を逸脱しない範囲で下記の実施形態に変更（例えば構成要素の省略または付加、構成要素の形状の変更等）を加えることが出来るのはもちろんである。なお、図は概略を示すもので、一部のみを描き詳細構造は省略した。
【００１６】
図１は、本発明に係る水中検出装置の第１の実施形態例で、プール水中の発光手段５から線状のレーザースリット光２５を照射し、プール水中の受光手段６で受光撮影域２６内のレーザースリット光２５の反射光を受光する状況を示す。
発光手段５により照射された線状のレーザースリット光２５で、プール水中の底面３を走査する。
このレーザースリット光２５は、矢印Ｌに示すように図の四角の範囲を走査する。
受光撮影域２６から反射されるレーザースリット光２５の光線の乱れを水中の受光手段６で検知して、プールの底面３上に存在する異物９を確認する。
【００１７】
図２は、図１のＡ部を拡大して示す説明図である。
レーザースリット光２５は数ミリメートル幅程度の細い直線帯状の光線で、矢印Ｌのように走査することにより、レーザースリット光２５に照射されたガラス片や金属片などの異物９の部分は、直線帯状の光線が屈折して乱光線２５Ａとなる。
【００１８】
プール水中でほとんど視認が不可能であったガラス片やプラスチック片などのほぼ透明な異物９は、レーザースリット光２５の屈折現象によって界面で乱れるため、この乱光線２５Ａを検出することによって異物９の認証が確実となる。
また、金属片、小石、土砂などの見難い固形の異物９は、レーザースリット光２５が分断されることによって認証することができる。
このように、レーザースリット光２５が乱れる乱光線２５Ａによって、肉眼では見難い異物９を確実に検出することができるため、見落としが生じない。
よって、プール供用時に適宜、異物の発見除去を確実に実施することにより、利用者の手足などに違和感や危険を及ぼすことなく、清潔と安全性を保持することができる。
【００１９】
図３は、本発明に係る水中検出装置の実施形態例を示す説明図である。
１は水の入った水泳用のプールで、２は側壁、３は底面である。
４はプール水中で使用する水中検出装置で、プールの底面３の上に設置する。
この水中検出装置４は、底面３を線状に照射する発光手段５と、この発光手段５により照射された全部の照射領域を撮影するＣＣＤカメラを有する受光手段６と、プール１の底面３を移動させる移動手段７を備える。
また、リモコン・ラジコン対応の送受信機８を装備し、この送受信機８によって、発光手段５と受光手段６及び移動手段７を操作し制御する信号を、プール外部の機器制御部（図示せず）との間で送受信する。この送受信機８にはパトライト（登録商標）や警鐘音を装備することによって、検査員に異物の検出を知らせて、直ちに異物の除去対応を行わせるようにしてもよい。
【００２０】
１５は発光照射装置で、発光手段５から線状のレーザースリット光２５を発光し、矢印Ｌのように図の四角の範囲を走査し、移動手段７によって移動する。１６は受光撮影装置（ＣＣＤカメラ搭載）で、受光手段６によって受光撮影域２６内のレーザースリット光２５をＣＣＤカメラで撮影する。１７は移動装置で、移動手段７及び送受信機８と連携して、水中検出装置４をプール底面３上の（ｘ-ｙ）方向に移動する。
【００２１】
水中検出装置４を用いてプール１水中の底面３上を走査しながら移動させることにより、シート底面３の上面に介在するガラス片、プラスチック片や、金属片、小石、土砂などの異物９を確実に検出することができる。
【００２２】
図４は、異物検出の機能を示すブロック図である。
水中検出装置４は、発光手段５、受光手段６、及び移動手段７などで形成する。
機器制御部１０によって、水中検出装置４の発光手段５、受光手段６、及び移動手段７を操作し制御する。
影像処理制御部１１で、受光手段６のＣＣＤカメラで撮影された異物の形状や寸法などのデータ処理制御を行う。
位置検出部１２でプール底面上面の異物の位置座標を特定する。
異物検出のデータに基づいて、プールの底面上に存在する異物除去の対応作業を実施する。
【００２３】
図５は、プール水中でプール底面上の異物検出の操作を示すフローチャートである。
下記のステップに従って、プール水中でレーザースリット光をプール底面に当てて、その反射光の乱れで人の肉眼で検出し難い異物の有無を検証し、その位置を特定する。
ステップ１：レーザースリット光を発光し、プール底面上を照射し走査する。
ステップ２：上記照射範囲からの反射光によって、底面上の異物の有無を検証する。
ステップ３：プール底面にわたって、水中検出装置を移動する。
ステップ４：ステップ１〜３の発光、受光、走査、移動を遠隔操作で制御する。
ステップ５：影像・データを処理、制御する。
ステップ６：プール底面における異物の位置座標を特定する。
【００２４】
図６は異物の位置座標で、異物が存在するプール底面上面の位置を特定する。
プール底面に対応する、Ｘ軸（ａ，ｂ，ｃ，・・・）とＹ軸（１，２，３，・・・）の平面座標上に、異物Ａ、異物Ｂ・・・の位置をプロットする。
【００２５】
図７は異物検出除去作業を示すフローチャートで、次の作業手順に従ってプール水中の異物の位置を特定し、その除作業を実施する。
作業手順１：水中検出装置によって異物の位置座標を特定する。
作業手順２：異物の位置座標をプール底面に対応させる。
作業手順３：プール底面位置の異物を除去する。
【産業上の利用可能性】
【００２６】
上記水中検出装置は、水泳用のプールの他に、塵芥など異物が混入、堆積する貯水槽や貯液槽にも適用することができる。
【符号の説明】
【００２７】
１プール    
２側壁    
３底面    
４水中検出装置    
５発光手段    
６受光手段    
７移動手段    
８送受信機    
９異物    
１５発光照射装置    
１６受光撮影装置    
１７移動装置    
２５レーザースリット光    
２６受光撮影域    
【図１】
2015105855.tif 000003
【図２】
2015105855.tif 000004
【図３】
2015105855.tif 000005
【図４】
2015105855.tif 000006
【図５】
2015105855.tif 000007
【図６】
2015105855.tif 000008
【図７】
2015105855.tif 000009